【手続補正書】
【提出日】平成22年10月25日(2010.10.25)
【手続補正１】
【補正対象書類名】特許請求の範囲
【補正対象項目名】全文
【補正方法】変更
【補正の内容】
【特許請求の範囲】
【請求項１】
ΔΣデータ変換装置において、少なくとも、
アナログ入力信号（Ｓ１）を受け取って、デジタルデータストリーム信号（Ｓ２）を出力するアナログΔΣ変調器（３）と、
少なくとも前記デジタルデータストリーム信号（Ｓ２）を受け取って、デジタル出力信号（Ｓ４）を出力するデジタルフィルタ装置（６，７）と、
前記デジタルデータストリーム信号（Ｓ２）から導出された信号（Ｓ４）に応じてテスト信号（Ｓ５，Ｓ６）を生成するテスト信号発生器（９，１１，１２，１４）と、
前記テスト信号（Ｓ５）を受け取って、デジタル基準データストリーム信号（Ｓ８）を出力するデジタル基準装置（８）と、
前記デジタルデータストリーム信号（Ｓ２）と前記デジタル基準データストリーム信号（Ｓ８）を受け取って、少なくとも前記デジタルデータストリーム信号（Ｓ２）と前記デジタル基準データストリーム信号（Ｓ８）を前記デジタルフィルタ装置（６，７）に出力する信号受け取り装置（１３，５）を有していることを特徴とする、ΔΣデータ変換装置。
【請求項２】
信号受け取り装置（１３，５）は制御信号（Ｓ７）に応じてデータストリーム信号（Ｓ２）または基準データストリーム信号（Ｓ８）またはこれら両方の信号（Ｓ２，Ｓ８）から求められた信号（Ｓ１０）を前記デジタルフィルタ装置（６，７）に出力する、請求項１記載のΔΣデータ変換装置。
【請求項３】
信号受け取り装置（１３，５）はデジタル加算器（１３）とスイッチ装置（５）とを有しており、デジタル加算器（１３）はデータストリーム信号（Ｓ２）と基準データストリーム信号（Ｓ８）の差信号（Ｓ１０）を形成し、スイッチ装置（５）は制御信号（Ｓ７）に応じて前記差信号（Ｓ１０）またはデータストリーム信号（Ｓ２）または基準データストリーム信号（Ｓ８）を出力する、請求項２記載のΔΣデータ変換装置。
【請求項４】
テスト信号発生器（９）はデジタルフィルタ装置（６，７）のデジタル出力信号（Ｓ４）を受け取り、該デジタル出力信号（Ｓ４）に応じてデジタルテスト信号（Ｓ５）を出力する、請求項１から３のいずれか１項記載のΔΣデータ変換装置。
【請求項５】
テスト信号発生器（９）は、デジタル基準装置（８）にはデジタルテスト信号（Ｓ５）を出力し、アナログΔΣ変調器（３）にはデジタルテスト信号（Ｓ５）に相応するアナログテスト信号（Ｓ６）を出力する、請求項１から４のいずれか１項記載のΔΣデータ変換装置。
【請求項６】
テスト信号発生器（９）はデジタルテスト信号（Ｓ５）を相応するアナログテスト信号（Ｓ６）に変換するデジタルアナログ変換器（１２）を有しており、該デジタルアナログ変換器（１２）の基準電圧はアナログΔΣ変調器（３）の基準電圧に相当する、請求項５記載のΔΣデータ変換装置。
【請求項７】
デジタル基準装置（８）はデジタルΔΣ基準変調器（８）を有しており、該デジタルΔΣ基準変調器（８）は、アナログΔΣ変調器（３）の伝達関数をデジタル計算アルゴリズムとしてモデル化し、デジタルデータストリーム信号（Ｓ２）と同じワード幅および帯域幅のパルス密度変調されたデジタル基準データストリーム信号（Ｓ８）を出力する、請求項１から６のいずれか１項記載のΔΣデータ変換装置。
【請求項８】
テスト信号発生器（９）は、パルス密度変調されたデータストリームとしてテスト信号（Ｓ５）を生成するデジタルΔΣ変調器（１１）を有している、請求項１から７のいずれか１項記載のΔΣデータ変換装置。
【請求項９】
デジタルフィルタ装置（６，７）はフィルタリングおよびダウンサンプリングのためのデシメーションフィルタ（６）と、雑音成分の抑制および有効帯域における伝達特性の補償のためのデジタルローパスフィルタ（７）を有している、請求項１から８のいずれか１項記載のΔΣデータ変換装置。
【請求項１０】
自立的に集積回路として形成された、請求項１から９のいずれか１項記載のΔΣデータ変換装置。
【請求項１１】
アナログ入力信号（Ｓ１）を受け取って、デジタルデータストリーム信号（Ｓ２）を出力するアナログΔΣ変調器（３）と、デジタルデータストリーム信号（Ｓ２）を受け取って、デジタル出力信号（Ｓ４）を出力するデジタルフィルタ装置（６，７）とを具えたΔΣデータ変換装置（２）を検査する方法において、アナログΔΣ変調器（３）とデジタル基準装置（８）にテスト信号（Ｓ５，Ｓ６）を供給し、アナログΔΣ変調器（３）により出力されたデータストリーム信号（Ｓ２）とデジタル基準装置（８）により出力された基準データストリーム信号（Ｓ８）をデジタルフィルタ装置（６，８）に出力し、デジタルフィルタ装置（６，７）により出力されたデジタル出力信号（Ｓ４）を評価することを特徴とする、ΔΣデータ変換装置（２）を検査する方法。
【請求項１２】
アナログΔΣ変調器（３）のデータストリーム信号（Ｓ２）またはデジタル基準装置（８）の基準データストリーム信号（Ｓ８）またはこれらの信号（Ｓ２，Ｓ８）から形成された差信号（Ｓ１０）を選択的にデジタルフィルタリングし、評価する、請求項１１記載の方法。
【請求項１３】
第１のテストモード（ＢＩＳＴ１）において、テスト信号発生器（９）にテストデータ入力信号（Ｓ９）を供給し、続いてデジタル出力信号（Ｓ４）をテストデータ入力信号（Ｓ９）と比較する、ただし、前記テスト信号発生器（９）はデジタルテスト信号（Ｓ５）を生成してデジタル基準装置（８）に出力するものである、請求項１１または１２記載の方法。
【請求項１４】
第２のテストモード（ＢＩＳＴ２）において、デジタルフィルタ装置（６，７）により出力されたデジタル出力信号（Ｓ４）またはデジタル基準変調器信号（Ｓ８）から導出された別の信号をテスト信号発生器（９）にフィードバックさせる、請求項１１または１３記載の方法。
【請求項１５】
フィードバックにより同期したデジタルネットワークを構築し、テストパターンを繰り返し形成して評価する、請求項１４記載の方法。
【請求項１６】
第３のテストモードにおいて、デジタル基準装置（８）にはデジタルテスト信号（Ｓ５）を供給し、アナログΔΣ変調器（３）にはデジタルテスト信号（Ｓ５）に相応するアナログテスト信号（Ｓ６）を供給し、ΔΣ変調器（３）により出力されたデータストリーム信号（Ｓ２）とデジタル基準装置（８）により出力された基準データストリーム信号（Ｓ８）を相互に比較する、請求項１１から１５のいずれか１項記載の方法
【請求項１７】
データストリーム信号（Ｓ２）と基準データストリーム信号（Ｓ８）とから差信号（１０）を形成し、選択的にデータストリーム信号（Ｓ２）または基準データストリーム信号（Ｓ８）または差信号（１０）をデジタルフィルタ装置（６，７）を介してデジタル出力信号（Ｓ４）として出力し、評価する、請求項１６記載の方法。
【請求項１８】
デジタルカウンタを用いてテストデータ入力信号（Ｓ９）の値域を直線的に走破し、差信号（Ｓ１０）をアナログΔΣ変調器（３）の誤差曲線として評価する、その際、テストデータ入力信号（Ｓ９）のワード幅（ｎin）が誤差曲線の２**ｎin個のデータ点を決定する、請求項１７記載の方法。
【請求項１９】
ΔΣデータ変換装置（２）のオフセット、勾配、および非線形誤差を求め、少なくとも部分的に補償する、請求項１１から１８のいずれか１項記載の方法。